(57)【要約】【課題】本発明のプラズマディスプレイパネルは、背面基板及び前面基板の間のギャップを均一にして、パネルの騒音を低減させる。【解決手段】本発明の一実施例によるプラズマディスプレイパネルは、第１基板、前記第１基板と対向する第２基板、前記第１基板及び前記第２基板の間に形成されて、放電セルを区画する隔壁、第１方向に伸張形成されるアドレス電極及び前記第１方向と交差する第２方向に伸張形成される表示電極が形成された表示領域、及び前記表示領域の外郭で、ダミー電極が形成されたダミー領域を含む。【選択図】図７
2008270138.tif 000002
【特許請求の範囲】
【請求項１】
第１基板；
前記第１基板と対向する第２基板；
前記第１基板及び前記第２基板の間に形成されて、放電セルを区画する隔壁；
第１方向に伸張形成されるアドレス電極、前記第１方向と交差する第２方向に伸張形成される表示電極を含む表示領域；及び
前記表示領域の外郭で、ダミー電極を含むダミー領域；を含むプラズマディスプレイパネル。
【請求項２】
前記ダミー電極は、前記第２方向に伸張形成される請求項１に記載のプラズマディスプレイパネル。
【請求項３】
前記ダミー電極は、前記第１基板または前記第２基板に形成される請求項２に記載のプラズマディスプレイパネル。
【請求項４】
前記ダミー電極は、金属からなる請求項３に記載のプラズマディスプレイパネル。
【請求項５】
前記表示電極及び前記ダミー電極は、誘電層で覆われる請求項２に記載のプラズマディスプレイパネル。
【請求項６】
前記ダミー領域にはダミー隔壁が形成されて、ダミーセルを形成する請求項１に記載のプラズマディスプレイパネル。
【請求項７】
前記表示領域から離隔してガラスフリットが形成され、前記第１基板及び前記第２基板は、前記ガラスフリットによって付着される請求項６に記載のプラズマディスプレイパネル。
【請求項８】
前記ダミー領域は、前記表示領域及び前記ガラスフリットの間の領域である請求項７に記載のプラズマディスプレイパネル。
【請求項９】
前記表示電極は、前記放電セルに対応して、前記第１基板または前記第２基板に形成される透明電極、及び前記透明電極に連結されて、前記第２方向に伸張形成されるバス電極を含む請求項８に記載のプラズマディスプレイパネル。
【請求項１０】
前記隔壁は、前記第１方向に伸張形成される第１隔壁部材、及び前記第２方向に伸張形成される第２隔壁部材を含む請求項９に記載のプラズマディスプレイパネル。
【請求項１１】
前記ダミー隔壁は、前記第１方向に伸張形成される第１ダミー隔壁部材、及び前記第２方向に伸張形成される第２ダミー隔壁部材を含む請求項１０に記載のプラズマディスプレイパネル。
【請求項１２】
前記表示電極及び前記ダミー電極は、誘電層で覆われる請求項１１に記載のプラズマディスプレイパネル。
【請求項１３】
前記第２隔壁部材及び前記第２ダミー隔壁部材の各上面が前記第１基板または前記第２基板と対向し、前記第２隔壁部材及び前記第２ダミー隔壁部材の各上面には蛍光体層が形成される請求項１２に記載のプラズマディスプレイパネル。
【請求項１４】
前記バス電極及び前記ダミー電極は、厚さが同一である請求項１３に記載のプラズマディスプレイパネル。
【請求項１５】
前記バス電極及び前記ダミー電極は、幅が同一である請求項１４に記載のプラズマディスプレイパネル。
【請求項１６】
第１基板；
前記第１基板と対向する第２基板；
前記第１基板及び前記第２基板の間に形成されて、放電セルを区画する隔壁；
第１方向に伸張形成されるアドレス電極、前記第１方向と交差する第２方向に伸張形成される表示電極を含む表示領域；及び
前記表示領域の外郭に形成されるダミー領域を含み、
前記第１基板又は第２基板と前記隔壁の間のギャップが、前記表示領域及び前記ダミー領域に渡って、均一であるプラズマディスプレイパネル。
【発明の詳細な説明】
【技術分野】
【０００１】
本発明は、プラズマディスプレイパネルに関し、より詳細には、背面基板及び前面基板の間のギャップが均一なプラズマディスプレイパネルに関する。
【背景技術】
【０００２】
一般に、プラズマディスプレイパネルは、気体放電によってプラズマを発生させ、プラズマから放射される真空紫外線（ＶＵＶ：Ｖａｃｕｕｍ  Ｕｌｔｒａ−Ｖｉｏｌｅｔ ｒａｙ）で蛍光体を励起して、蛍光体が安定化されて発生する赤色（Ｒｅｄ）、緑色（Ｇｒｅｅｎ）、及び青色（Ｂｌｕｅ）の可視光によって画像を表示するディスプレイ素子である。
【０００３】
交流型プラズマディスプレイパネルを例にあげて説明すると、アドレス電極は、背面基板上に形成されて、誘電層で覆われている。隔壁は、誘電層上で放電セルを区画する。赤色（Ｒｅｄ）、緑色（Ｇｒｅｅｎ）、及び青色（Ｂｌｕｅ）の蛍光体層は、放電セルの隔壁に形成される。
【０００４】
前面基板は、背面基板に対向して、維持電極及び走査電極の対からなる表示電極が、アドレス電極と交差して前面基板に形成され、誘電層及びＭｇＯ保護膜で覆われている。
【０００５】
背面基板上のアドレス電極及び前面基板上の表示電極が交差する地点に放電セルが形成される。プラズマディスプレイパネルには、数百万個以上の単位放電セルがマトリックス（Ｍａｔｒｉｘ）形態に配列される。
【０００６】
プラズマディスプレイパネルは、前面基板及び背面基板を交互に重畳し、重畳されたラインに沿ってガラスフリット（ＧｌａｓｓＦｒｉｔ）を塗布して、ガラスフリットラインで前面基板及び背面基板を互いに付着して形成される。
【０００７】
プラズマディスプレイパネルは、画像を表示する表示領域（Ｄｉｓｐｌａｙ  Ａｒｅａ；ＤＰＡ）、及び表示領域及びガラスフリットの間に画像を表示しないダミー領域（Ｄｕｍｍｙ Ａｒｅａ；ＤＭＡ）を形成する。
【０００８】
プラズマディスプレイパネルは、表示領域には表示電極を形成し、ダミー領域には表示電極を形成しない。したがって、背面基板及び前面基板の間に形成されるギャップは、表示領域よりダミー領域でより大きく形成される。ギャップの差は、パネルの騒音を発生させる。
【発明の開示】
【発明が解決しようとする課題】
【０００９】
本発明の目的は、背面基板及び前面基板の間のギャップを均一にして、パネルの騒音を低減させる、プラズマディスプレイパネルを提供することにある。また、本発明の他の目的は、表示領域及びダミー領域でのギャップを均一にして、パネルの騒音を低減させる、プラズマディスプレイパネルを提供することにある。
【課題を解決するための手段】
【００１０】
本発明の一実施例によるプラズマディスプレイパネルは、第１基板、前記第１基板と対向する第２基板、前記第１基板及び前記第２基板の間に形成されて、放電セルを区画する隔壁、第１方向に伸張形成されるアドレス電極、前記第１方向と交差する第２方向に伸張形成される表示電極を含む表示領域、及び前記表示領域の外郭で、ダミー電極を含むダミー領域を含む。
【００１１】
前記ダミー電極は、前記第２方向に伸張形成され、前記第１基板または前記第２基板に形成される。また、前記ダミー電極は、金属からなる。前記表示電極及び前記ダミー電極は、誘電層で覆われる。前記ダミー領域にはダミー隔壁が形成されて、ダミーセルを形成する。前記表示領域から離隔してガラスフリットが形成され、前記第１基板及び前記第２基板は、前記ガラスフリットによって付着される。
【００１２】
前記ダミー領域は、前記表示領域及び前記ガラスフリットの間の領域である。前記表示電極は、前記放電セルに対応して、前記第１基板または前記第２基板に形成される透明電極、及び前記透明電極に連結されて、前記第２方向に伸張形成されるバス電極を含む。
【００１３】
前記隔壁は、前記第１方向に伸張形成される第１隔壁部材、及び前記第２方向に伸張形成される第２隔壁部材を含む。前記ダミー隔壁は、前記第１方向に伸張形成される第１ダミー隔壁部材、及び前記第２方向に伸張形成される第２ダミー隔壁部材を含む。
【００１４】
前記第２隔壁部材及び前記第２ダミー隔壁部材の各上面が前記第１基板または前記第２基板と対向し、前記第２隔壁部材及び前記第２ダミー隔壁部材の各上面には蛍光体層が形成される。前記バス電極及び前記ダミー電極は、厚さが同一であり、幅が同一である。
【発明の効果】
【００１５】
本発明の一実施例によるプラズマディスプレイパネルによれば、背面基板及び前面基板の重畳領域（ＦＡ）は、表示電極が形成された表示領域（ＤＰＡ）及びダミー電極が形成されたダミー領域（ＤＭＡ）を含む。
【００１６】
ダミー電極は、ダミー領域（ＤＭＡ）で第２誘電層で覆われ、表示電極は、表示領域（ＤＰＡ）で第２誘電層で覆われて、ダミー電極及び表示電極に対応する第２誘電層は、隔壁及びダミー隔壁に密着する。
【００１７】
したがって、表示領域（ＤＰＡ）及びダミー領域（ＤＭＡ）で、背面基板及び前面基板の間のギャップが均一になって、パネルの騒音が低減される。また、隔壁が放電セルをマトリックス形態に形成し、ディスペンシング法またはラミネーティング法で蛍光体層を形成するので、表示領域（ＤＰＡ）及びダミー領域（ＤＭＡ）で、表示電極及びダミー電極と平行に形成される隔壁及びダミー隔壁上に非発光部が形成される。
【００１８】
表示領域（ＤＰＡ）及びダミー領域（ＤＭＡ）で、表示電極及びダミー電極は、第２誘電層で覆われて、表示電極及びダミー電極に対応する第２誘電層は、隔壁及びダミー隔壁に密着する。したがって、表示領域（ＤＰＡ）及びダミー領域（ＤＭＡ）で、第２誘電層及び隔壁の間の第１ギャップ、及び第２誘電層及びダミー隔壁の間の第２ギャップが均一になって、パネル騒音が低減される。
【発明を実施するための最良の形態】
【００１９】
以下、添付した図面を参照して、本発明の実施例について、本発明が属する技術分野で通常の知識を有する者が容易に実施することができるように詳細に説明する。しかし、本発明は、多様な[相異した]形態で具現され、ここで説明する実施例に限定されない。図面では、本発明を明確に説明するために、説明に不必要な部分は省略し、同一または類似した構成要素については、明細書全体で同一な図面符号を付けた。
【００２０】
図１は本発明の一実施例によるプラズマディスプレイパネルの平面図である。図１を参照すれば、本発明の一実施例によるプラズマディスプレイパネルは、互いに対向する第１基板（以下、背面基板とする）１０及び第２基板（以下、前面基板とする）２０、そして背面基板１０及び前面基板２０の間に形成される隔壁１６を含む。背面基板１０及び前面基板２０が重畳する部分に重畳領域（ＦＡ）が形成される。重畳領域（ＦＡ）は、隔壁１６によって区画される放電セル１７を含む。
【００２１】
背面基板１０及び前面基板２０は、重畳領域（ＦＡ）の外郭で、両基板１０、２０の間に形成されるガラスフリット４１によって付着される。重畳領域（ＦＡ）は、表示領域（ＤＰＡ）及びダミー領域（ＤＭＡ）を含む。表示領域（ＤＰＡ）は、画像を表示し、ダミー領域（ＤＭＡ）は、表示領域（ＤＰＡ）の外郭[及び]とガラスフリット４１との間の領域であって、画像を表示しない。
【００２２】
図２は本発明の一実施例によるプラズマディスプレイパネルの表示領域及びダミー領域を示した部分平面図である。図３は本発明の一実施例によるプラズマディスプレイパネルの分解斜視図であり、図４は図３のプラズマディスプレイパネルの平面図である。
【００２３】
図２乃至図４を参照すれば、表示領域（ＤＰＡ）は、第１方向（図面のｙ軸方向）に伸張形成されるアドレス電極１１、及び第１方向と交差する第２方向（図面のｘ軸方向）に伸張形成される表示電極３０を含む。表示電極３０は、維持電極３１及び走査電極３２を含む。アドレス電極１１、維持電極３１、及び走査電極３２は、放電セル１７に対応して交差配置される。
【００２４】
プラズマディスプレイパネルの駆動時に、リセット期間には、走査電極３２に印加されるリセットパルスによってリセット放電が起こる。リセット期間に続くアドレス期間には、走査電極３２に印加されるスキャンパルス及びアドレス電極１１に印加されるアドレスパルスによってアドレス放電が起こる。その後、維持期間には、維持電極３１及び走査電極３２に印加される維持パルスによって維持放電が起こる。
【００２５】
維持電極３１及び走査電極３２は、維持放電に必要な維持パルスを印加する電極の役割を果たす。走査電極３２は、リセットパルス及びスキャンパルスを印加する電極の役割を果たす。アドレス電極１１は、アドレスパルスを印加する電極の役割を果たす。
【００２６】
維持電極３１、走査電極３２、及びアドレス電極１１は、各々印加される電圧の波形によってその役割が異なるので、必ずしも前記役割に限定されない。プラズマディスプレイパネルは、アドレス電極１１及び走査電極３２の相互作用によるアドレス放電によって点灯される放電セル１７を選択し、維持電極３１及び走査電極３２の相互作用による維持放電によって前記選択された放電セル１７を駆動して、画像を表示する。
【００２７】
第１方向に沿って隣接する放電セル１７には、同一色の可視光を発生させる蛍光体層１９が形成される。第２方向に沿って隣接する放電セル１７には、赤色（Ｒｅｄ）、緑色（Ｇｒｅｅｎ）、及び青色（Ｂｌｕｅ）の可視光を発生させる蛍光体層１９が交互に形成される。
【００２８】
ダミー領域（ＤＭＡ）は、ダミーセル２７を形成するダミー隔壁２６、及びダミーセル２７に対応するダミー電極３３を含む。アドレス電極１１は、表示領域（ＤＰＡ）及びダミー領域（ＤＭＡ）に形成されて、第１方向に伸張形成される。アドレス電極１１及びダミー電極３３は、ダミーセル２７に対応して交差配置される。
【００２９】
アドレス電極１１は、背面基板１０の上面で第１方向に伸長形成されて、第１方向に隣接する放電セル１７に対応する。また、アドレス電極１１は、第２方向に沿って所定の距離だけ離隔して平行に形成される。
【００３０】
図５は図３のＶ−Ｖ線に沿って切断した断面図であり、図６は図３のＶＩ−ＶＩ線に沿って切断した断面図である。図５及び図６を参照すれば、アドレス電極１１は、背面基板１０の上面を覆う第１誘電層１３で覆われる。第１誘電層１３は、放電時に、陽イオンまたは電子がアドレス電極１１に直接衝突するのを防止して、アドレス電極１１の損傷を防止し、壁電荷を形成及び蓄積する。
【００３１】
アドレス電極１１は、背面基板１０に形成されるので、可視光が前方に照射されるのを妨害しない。したがって、アドレス電極１１は、不透明な電極に形成され、銀（Ａｇ）などの通電性が優れている金属から形成されることができる。
【００３２】
放電ガス（一例として、ネオン（Ｎｅ）及びゼノン（Ｘｅ）などを含む混合ガス）は、放電セル１７に充填されて、気体放電時に、真空紫外線を発生させる。また、放電ガスは、放電セル１７に空間的に連結されるダミーセル２７にも充填される。
【００３３】
蛍光体層１９は、隔壁１６に形成されて、放電セル１７内で真空紫外線を吸収して、可視光を放射する。また、蛍光体層１９は、ダミーセル２７のダミー隔壁２６にも形成されることができる。蛍光体層１９は、ディスペンシング法で形成される。つまり、ディスペンサー（図示せず）を第１方向に移動させて蛍光体ペーストを塗布し、塗布された蛍光体ペーストを乾燥及び焼成することによって形成される。
【００３４】
ディスペンシング法による場合、蛍光体層１９は、非発光部１９１を含む。非発光部１９１は、第２隔壁部材１６２及び第２ダミー隔壁部材２６２の各上面に塗布される蛍光体からなる。非発光部１９１は、第１ギャップ（Ｇ１）及び第２ギャップ（Ｇ２）を形成する。
【００３５】
隔壁１６は、背面基板１０の第１誘電層１３上に形成されて、放電セル１７を区画する。隔壁１６は、第１隔壁部材１６１及び第２隔壁部材１６２からなって、放電セル１７をマトリックス（ｍａｔｒｉｘ）形態に形成する。第１隔壁部材１６１は、第２方向に沿って離隔して、第１方向に各々伸張形成される。第２隔壁部材１６２は、第１隔壁部材１６１の間で第１方向に沿って離隔して、第２方向に各々伸張形成される。
【００３６】
ダミー隔壁２６は、背面基板１０の第１誘電層１３上に形成されて、ダミーセル２７を区画する。ダミー隔壁２６は、第１ダミー隔壁部材２６１及び第２ダミー隔壁部材２６２からなって、ダミーセル２７をマトリックス形態に形成する。第１ダミー隔壁部材２６１は、第２方向に沿って離隔して、第１隔壁部材１６１から第１方向に伸張形成される。第２ダミー隔壁部材２６２は、第１ダミー隔壁部材２６１の間で第１方向に沿って離隔して、第２方向に各々伸張形成される。
【００３７】
表示領域（ＤＰＡ）に形成される維持電極３１及び走査電極３２は、前面基板２０の底面に形成されて、放電セル１７で気体放電を起こす面放電構造を形成する。維持電極３１及び走査電極３２は、第２方向に伸張形成されて、アドレス電極１１と交差する。
【００３８】
維持電極３１及び走査電極３２は、放電を起こす透明電極３１１、３２１、及び透明電極３１１、３２１に電圧信号を各々印加するバス電極３１２、３２２を含む。透明電極３１１、３２１は、放電セル１７の内部で面放電を起こす部分であって、放電セル１７の開口率の確保のために、透明な素材（一例として、ＩＴＯ：Ｉｎｄｉｕｍ  Ｔｉｎ Ｏｘｉｄｅ）から形成される。
【００３９】
バス電極３１２、３２２は、透明電極３１１、３２１の高い電気抵抗を補償するために、通電性が優れている金属素材から形成される。透明電極３１１、３２１は、第１方向に沿って放電セル１７の周縁から中心に突出して、所定の幅（Ｗ３１、Ｗ３２）に形成され、各放電セル１７の中心部分で放電ギャップ（ＤＧ）を形成する。
【００４０】
バス電極３１２、３２２は、透明電極３１１、３２１上に各々形成されて、放電セル１７の周縁で第２方向に伸張形成される。バス電極３１２、３２２に電圧信号が印加されると、各バス電極３１２、３２２に連結される透明電極３１１、３２１に電圧信号が印加される。
【００４１】
ダミー領域（ＤＭＡ）に形成されるダミー電極３３は、前面基板２０の底面に形成されて、プラズマディスプレイパネルの駆動時にも、電圧信号が印加されない。また、ダミー電極３３は、表示領域には形成されないので、金属などの不透明な素材から形成されても、画像の表示を妨害しない。したがって、ダミー電極３３は、バス電極３１２、３２２と同様に、金属から形成されることができる。
【００４２】
第２誘電層２１は、維持電極３１及び走査電極３２、そしてダミー電極３３を覆う。第２誘電層２１は、維持電極３１及び走査電極３２を気体放電から保護して、放電時に壁電荷を形成して蓄積する。第２誘電層２１は、保護膜２３で覆われる。、例えば、保護膜２３は、第２誘電層２１を保護する透明なＭｇＯを含み、放電時に二次電子放出係数を増加させる。
【００４３】
第１ギャップ（Ｇ１）は、保護膜２３及び隔壁１６の間に形成され、第２ギャップ（Ｇ２）は、保護膜２３及びダミー隔壁２６の間に形成される。ダミー電極３３及びバス電極３１２、３２２は、同一な厚さ（Ｔ３３、Ｔ３１２、Ｔ３２２）に形成される。第２誘電層２１は、ダミー領域（ＤＭＡ）で、ダミー電極３３の厚さ（Ｔ３３）だけダミーセル２７に向かって隆起して、第２ギャップ（Ｇ２）を第１ギャップ（Ｇ１）に近接させる。
【００４４】
ダミー電極３３及びバス電極３１２、３２２は、同一な幅（Ｗ３３、Ｗ３１２、Ｗ３２２）に形成される。第２誘電層２１は、ダミー領域（ＤＭＡ）で、ダミー電極３３の幅（Ｗ３３）だけ広く隆起して、第２ギャップ（Ｇ２）を第１ギャップ（Ｇ１）により近接させる。
【００４５】
第２誘電層２１の形成時には、ディスペンサーを使用するディスペンシング法またはラミネーティング法が適用される。
【００４６】
図７は本発明の一実施例によるプラズマディスプレイパネルのギャップが均一になった状態を示した概略図である。説明の便宜のために、図７では、透明電極を省略して示した。
図７を参照すれば、第１ギャップ（Ｇ１）は、表示領域（ＤＰＡ）の放電セル１７の上側に形成される。第２ギャップ（Ｇ２）は、ダミー領域（ＤＭＡ）のダミーセル２７の上側に形成される。
【００４７】
従来のプラズマディスプレイパネルのダミー領域には、ダミー電極が形成されていなかった。ダミー電極が形成されない場合、第２誘電層２１は、点線（Ｌ１）の形態に形成されて、表示領域（ＤＰＡ）での第１ギャップ（Ｇ１）よりダミー領域（ＤＭＡ）での第２ギャップ（Ｇ２）がより大きくなる。したがって、従来の技術による場合、ギャップが不均一で、パネルの騒音が大きくなる。
【００４８】
反面、本実施例によるプラズマディスプレイパネルのダミー領域（ＤＭＡ）には、ダミー電極３３が形成されている。ダミー電極３３が形成されている場合、第２誘電層２１は、実線の形態に形成されて、表示領域（ＤＰＡ）での第１ギャップ（Ｇ１）及びダミー領域（ＤＭＡ）での第２ギャップ（Ｇ２）の差がなくなるか、小さくなる。したがって、本実施例による場合、ギャップが均一で、パネルの騒音が低減される。
【００４９】
以上で、本発明の好ましい実施例について説明したが、本発明はこれに限定されず、特許請求の範囲、発明の詳細な説明、及び添付した図面の範囲内で多様に変形して実施することができ、これも本発明の範囲に属する。
【図面の簡単な説明】
【００５０】
【図１】本発明の一実施例によるプラズマディスプレイパネルの平面図である。
【図２】本発明の一実施例によるプラズマディスプレイパネルの表示領域及びダミー領域を示した部分平面図である。
【図３】本発明の一実施例によるプラズマディスプレイパネルの分解斜視図である。
【図４】図３のプラズマディスプレイパネルの平面図である。
【図５】図３のＶ−Ｖ線に沿って切断した断面図である。
【図６】図３のＶＩ−ＶＩ線に沿って切断した断面図である。
【図７】本発明の一実施例によるプラズマディスプレイパネルのギャップが均一になった状態を示した断面図である。
【符号の説明】
【００５１】
１０  第１基板（背面基板）
１１  アドレス電極
１３  第１誘電層
１６  隔壁
１６１  第１隔壁部材
１６２  第２隔壁部材
１７  放電セル
１９  蛍光体層
１９１  非発光部
２０  第２基板（前面基板）
２１  第２誘電層
２３保護膜
２６  ダミー隔壁
２６１  第１ダミー隔壁部材
２６２  第２ダミー隔壁部材
２７  ダミーセル
３０  表示電極
３１  維持電極
３２  走査電極
３１１、３２１  透明電極
３１２、３２２  バス電極
３３  ダミー電極
４１  ガラスフリット
ＦＡ  重畳領域
ＤＰＡ  表示領域
ＤＭＡ  ダミー領域
【図１】
2008270138.tif 000003
【図２】
2008270138.tif 000004
【図３】
2008270138.tif 000005
【図４】
2008270138.tif 000006
【図５】
2008270138.tif 000007
【図６】
2008270138.tif 000008
【図７】
2008270138.tif 000009